(57)【要約】【課題】間仕切り壁板に衝撃がかかっても表面材層の入隅部に対向する部分に皺や亀裂などの損傷部が生じないようにすること。【解決手段】平坦側間仕切り壁板１及び交叉側間仕切り壁板２を形成する各骨枠５Ａ，５Ｂと各下地材６Ａ，６Ｂとの間の直角交叉部である入隅部Ａに金属補強板９が介装固着されている。【選択図】        図１
2004257056.tif 000002
【特許請求の範囲】
【請求項１】
床面側に下部横桟が固着され、天井面側に上部横桟が固着され、これら上下部横桟間に縦桟が横方向適当間隔に固着されて平坦側骨枠が形成され、また、平坦側骨枠の前記上下部横桟に平面視略直角状に交叉して交叉側下部横桟と交叉側上部横桟とがそれぞれ床面側及び天井面側に固着され、これら交叉側の上下部横桟間に交叉側縦桟が横方向適当間隔に固着されて交叉側骨枠が形成され、平坦側骨枠と交叉側骨枠とのそれぞれの表面に石膏ボードなどからなる平坦側下地材と交叉側下地材とが固着され、両下地材間の直角交叉部である入隅部を挟んで両下地材にわたって壁紙などの表面材層が設けられてなる間仕切り装置において、前記平坦側骨枠及び交叉側骨枠と前記平坦側下地材及び交叉側下地材との間に入隅部を挟んで平面視略Ｌ字状の板状本体からなる金属補強板が介装固着されてなる間仕切り装置。
【請求項２】
前記金属補強板の板状本体に、固着用ビスを貫挿するための小孔が点々散設状に多数形成されてなる請求項１に記載の間仕切り装置。
【請求項３】
前記金属補強板の板状本体の一面側に、該金属補強板を前記平坦側骨枠と交叉側骨枠とにわたって仮止めしておくための粘着層が形成されてなる請求項１または２に記載の間仕切り装置。
【請求項４】
前記金属補強板の板状本体に、該金属補強板を前記平坦側下地材または交叉側下地材のいずれか一方の端縁に仮止めしておくための平面視略コ字状の係止片が突設されてなる請求項１または２に記載の間仕切り装置。
【請求項５】
前記平坦側骨枠及び交叉側骨枠と、該両骨枠にわたって固着される金属補強板と、該金属補強板を挟んで前記両骨枠に固着される平坦側下地材及び交叉側下地材とが固着用ビスによって一体に固着されてなる請求項１〜４のいずれかに記載の間仕切り装置。
【請求項６】
複数の間仕切り壁板が平面視略直角状に交叉して配備される間仕切り装置の平坦側間仕切り壁板と交叉側間仕切り壁板との直角交叉部である入隅部に固着されて該入隅部を補強するための金属補強板であって、平面視略Ｌ字状に折曲された板状本体からなり、該板状本体には固着用ビスを貫挿するための小孔が点々散設状に多数形成され、板状本体の一面側に金属補強板を前記両間仕切り壁板を形成するそれぞれの下地材に仮止めするための粘着層が形成され、該粘着層には離型紙が粘付されてなる間仕切り装置用金属補強板。
【請求項７】
複数の間仕切り壁板が平面視略直角状に交叉して配備される間仕切り装置の平坦側間仕切り壁板と交叉側間仕切り壁板との直角交叉部である入隅部に固着されて該入隅部を補強するための金属補強板であって、平面視略Ｌ字状に折曲された板状本体からなり、該板状本体には固着用ビスを貫挿するための小孔が点々散設状に多数形成されると共に、その板状本体に、前記平坦側間仕切り壁板の下地材または交叉側間仕切り壁板の下地材のいずれか一方の端縁に仮止めしておくための平面視略コ字状の係止片が突設されてなる間仕切り装置用金属補強板。
【発明の詳細な説明】
【０００１】
【発明の属する技術分野】
本発明は、間仕切り壁板の直角交叉部である入隅部において壁紙などの表面材層に亀裂や皺などの破損部が生じないようにした間仕切り装置と間仕切り装置用金属補強板に関する。
【０００２】
【従来の技術】
従来、間仕切り装置の一例として図１２に示すものがある。これは、平坦側間仕切り壁板１と交叉側間仕切り壁板２とを平面視略直角状に交叉して配置したものであって、その各間仕切り壁板１，２は、床面側と天井面側とにそれぞれ固着した横断面略コ字状のランナーと呼ばれる厚さが０．５ｍｍ程度の金属製上下部横桟３Ａ，３Ｂ（上部横桟は図示せず）と該上下部横桟３Ａ，３Ｂ間に横方向適当間隔に固着した横断面略ロ字状のスタッドと呼ばれる同じく厚さが０．５ｍｍ程度の金属製縦桟４Ａ，４Ｂとにより骨枠５Ａ，５Ｂを形成し、その各骨枠５Ａ，５Ｂの表面に石膏ボードなどからなる下地材６Ａ，６Ｂを固着し、その両下地材６Ａ，６Ｂ間の直角交叉部である入隅部Ａを挟んで該両下地材６Ａ，６Ｂにわたって壁紙などの表面材層７を設けたものからなる。
【０００３】
【発明が解決しようとする課題】
上記従来の構成では、各骨枠５Ａ，５Ｂを形成する縦桟４Ａ，４Ｂが長尺で撓みやすいため、間仕切り壁板１，２を完成させた後、その使用中に、間仕切り壁板１，２に何らかの衝撃がかかると、その衝撃で骨枠５Ａ，５Ｂ及び下地材６Ａ，６Ｂが撓んで、表面材層７の入隅部Ａに対向する部分に皺や亀裂などの破損部Ｂが生じることがあり、これでは、外観上の体裁が著しく悪くなる。
【０００４】
本発明は、上記欠点に鑑み、間仕切り壁板に衝撃がかかっても表面材層の入隅部に対向する部分に皺や亀裂などの損傷部が生じないようにした間仕切装置と間仕切り装置用金属補強板を提供することを目的としている。
【０００５】
【課題を解決するための手段】
上記目的を達成するための本発明の構成を実施の形態に対応する図面に基づいて説明すると、請求項１記載の発明は、図１〜図３に示すように、床面側に下部横桟３Ａが固着され、天井面側に上部横桟３Ａが固着され、これら上下部横桟３Ａ間に縦桟４Ａが横方向適当間隔に固着されて平坦側骨枠５Ａが形成され、また、平坦側骨枠５Ａの前記上下部横桟３Ａに平面視略直角状に交叉して交叉側下部横桟３Ｂと交叉側上部横桟３Ｂとがそれぞれ床面側及び天井面側に固着され、これら交叉側の上下部横桟３Ｂ間に交叉側縦桟４Ｂが横方向適当間隔に固着されて交叉側骨枠５Ｂが形成され、平坦側骨枠５Ａと交叉側骨枠５Ｂとのそれぞれの表面に石膏ボードなどからなる平坦側下地材６Ａと交叉側下地材６Ｂとが固着され、両下地材６Ａ，６Ｂ間の直角交叉部である入隅部Ａを挟んで両下地材６Ａ，６Ｂにわたって壁紙などの表面材層７が設けられてなる間仕切り装置において、前記平坦側骨枠５Ａ及び交叉側骨枠５Ｂと前記平坦側下地材６Ａ及び交叉側下地材６Ｂとの間に入隅部Ａを挟んで平面視略Ｌ字状の板状本体９ａからなる金属補強板９が介装固着されてなる構成を採用するものである。
【０００６】
上記構成によれば、骨枠５Ａ，５Ｂ、下地材６Ａ，６Ｂ及び表面材層７からなる間仕切り壁板１，２の入隅部Ａが平面視略Ｌ字状の板状本体９ａからなる金属補強板９により補強されているので、該間仕切り壁板１，２に何らかの衝撃がかかっても、その衝撃により前記表面材層７の入隅部Ａに対向する部分に従来のように皺や亀裂などの損傷部Ｂ（図１２参照）が生じることがなく、その間仕切り壁板１，２の外観上の体裁を長期にわたって良好に維持することができる。
【０００７】
請求項２に記載の発明は、図５及び図１０に示すように、請求項１に記載の発明において、前記金属補強板９の板状本体９ａに、固着用ビス１０を貫挿するための小孔１１が点々散設状に多数形成されてなる構成を採用するものである。
【０００８】
上記構成によれば、金属補強板９の板状本体９ａに小孔１１が点々散設状に多数形成されているから、該板状本体９ａと前記骨枠５Ａ，５Ｂとにわたって固着用ビス１０を固着する際に、該板状本体９ａには固着用ビス１０をこれより小径の小孔１１に当てつけてこれをこじ開けるように貫挿させることができ、これによって、該板状本体９ａを固着用ビス１０により比較的容易に破断して、その固着用ビス１０による固着作業を能率良く行うことができる。
【０００９】
請求項３に記載の発明は、図４及び図５に示すように、請求項１または２に記載の発明において、前記金属補強板９の板状本体９ａの一面側に、該金属補強板９を前記平坦側骨枠５Ａと交叉側骨枠５Ｂとにわたって仮止めしておくための粘着層１２が形成されてなる構成を採用するものである。
【００１０】
上記構成によれば、金属補強板９の板状本体９ａの一面側に形成した粘着層１２を平坦側骨枠５Ａと交叉側骨枠５Ｂとにわたって貼着させるだけで、その金属補強板９を入隅部Ａの所望の高さ位置に簡単に仮止めすることができ、この状態でその後の固着用ビス１０による金属補強板９の両骨枠５Ａ，５Ｂへの固着作業を容易に行うことができる。
【００１１】
請求項４に記載の発明は、図８〜図１０に示すように、請求項１または２に記載の発明において、前記金属補強板９の板状本体９ａに、該金属補強板９を前記平坦側下地材６Ａまたは交叉側下地材６Ｂのいずれか一方の端縁に仮止めしておくための平面視略コ字状の係止片１７が突設されてなる構成を採用するものである。
【００１２】
上記構成によれば、金属補強板９の板状本体９ａに突設した平面視略コ字状の係止片１７を平坦側下地材６Ａまたは交叉側下地材６Ｂのいずれか一方の端縁に嵌合させた後、その係止片１７を嵌合させた平坦側下地材６Ａ（または交叉側下地材６Ｂ）を平坦側骨枠５Ａ（または交叉側骨枠５Ｂ）に当接させるだけで、金属補強板９を入隅部Ａの所望の高さ位置に簡単に仮止めすることができるから、その後の固着用ビス１０による金属補強板９の両骨枠５Ａ，５Ｂへの固着作業を容易に行うことができる。
【００１３】
請求項５に記載の発明は、図２及び図３に示すように、請求項１〜４のいずれかに記載の発明において、前記平坦側骨枠５Ａ及び交叉側骨枠５Ｂと、該両骨枠５Ａ，５Ｂにわたって固着される金属補強板９と、該金属補強板９を挟んで前記両骨枠５Ａ，５Ｂに固着される平坦側下地材６Ａ及び交叉側下地材６Ｂとが固着用ビス１０によって一体に固着されてなる構成を採用するものである。
【００１４】
上記構成によれば、各下地材６Ａ，６Ｂ、金属補強板９及び各骨枠５Ａ，５Ｂを一体として固着用ビス１０を貫挿させるだけで、各下地材６Ａ，６Ｂを各骨枠５Ａ，５Ｂに固着すると同時に、金属補強板９を入隅部Ａの所定高さ位置に固着することができ、共通の固着用ビス１０によってこれら三者を強固に固着することができる。
【００１５】
請求項６に記載の発明は、図１〜図３、図５及び図１０に示すように、複数の間仕切り壁板１，２が平面視略直角状に交叉して配備される間仕切り装置の平坦側間仕切り壁板１と交叉側間仕切り壁板２との直角交叉部である入隅部Ａに固着されて該入隅部Ａを補強するための金属補強板９であって、平面視略Ｌ字状に折曲された板状本体９ａからなり、該板状本体９ａには固着用ビス１０を貫挿するための小孔１１が点々散設状に多数形成され、板状本体９ａの一面側に金属補強板９を前記両間仕切り壁板１，２を形成するそれぞれの下地材６Ａ，６Ｂに仮止めするための粘着層１２が形成され、該粘着層１２には離型紙１３が粘付されてなる構成を採用するものである。
【００１６】
上記構成によれば、金属補強板９の板状本体９ａに形成した粘着層１２から離型紙１３を剥離した後、該粘着層１２を平坦側間仕切り壁板１と交叉側間仕切り壁板２との直角交叉部である入隅部Ａに貼着するだけで、その入隅部Ａの所定高さ位置に金属補強板９を簡単に仮止めすることができ、また、前記板状本体９ａに小孔１１が点々散設状に多数形成されているから、該板状本体９ａと前記骨枠５Ａ，５Ｂとにわたって固着用ビス１０を固着する際に、該板状本体９ａには固着用ビス１０をこれより小径の小孔１１に当てつけてこれをこじ開けるように貫挿させることができ、該板状本体９ａを固着用ビス１０により比較的容易に破断して、その固着用ビス１０により金属補強板９を入隅部Ａに確実に固着して、その入隅部Ａを補強することができ、これによって、間仕切り壁板１，２に何らかの衝撃がかかっても、その衝撃により間仕切り壁板１，２の表面材層７の入隅部Ａに対向する部分に従来のように皺や亀裂などの損傷部Ｂ（図１２参照）が生じることが殆どなく、その間仕切り壁板１，２の外観上の体裁を長期にわたって良好に維持することができる。しかも、金属補強板の構造が簡単で安価に量産することができる。
【００１７】
請求項７に記載の発明は、図１〜図３、図８〜図１０に示すように、複数の間仕切り壁板１，２が平面視略直角状に交叉して配備される間仕切り装置の平坦側間仕切り壁板１と交叉側間仕切り壁板２との直角交叉部である入隅部Ａに固着されて該入隅部Ａを補強するための金属補強板９であって、平面視略Ｌ字状に折曲された板状本体９ａからなり、該板状本体９ａには固着用ビス１０を貫挿するための小孔１１が点々散設状に多数形成されると共に、その板状本体９ａに、前記平坦側間仕切り壁板１の下地材６Ａまたは交叉側間仕切り壁板２の下地材６Ｂのいずれか一方の端縁に仮止めしておくための平面視略コ字状の係止片１７が突設されてなる構成を採用するものである。
【００１８】
上記構成によれば、金属補強板９の板状本体９ａに突設した平面視略コ字状の係止片１７を平坦側間仕切り壁板１の下地材６Ａまたは交叉側間間仕切り壁板２の下地材６Ｂのいずれか一方の端縁に嵌合させた後、その係止片１７を嵌合させた平坦側下地材６Ａ（または交叉側下地材６Ｂ）を平坦側間仕切り壁板１（または交叉側間仕切り壁板２）の所定位置に配置するだけで、金属補強板９を入隅部Ａの所望の高さ位置に仮止めした状態で、固着用ビス１０による金属補強板９の両骨枠５Ａ，５Ｂへの固着作業を容易に行うことができ、また、前記板状本体９ａに小孔１１が点々散設状に多数形成されているから、該板状本体９ａと前記骨枠５Ａ，５Ｂとにわたって固着用ビス１０を固着する際に、該板状本体９ａには固着用ビス１０をこれより小径の小孔１１に当てつけてこれをこじ開けるように貫挿させることができ、該板状本体９ａを固着用ビス１０により比較的容易に破断して、その固着用ビス１０により金属補強板９を入隅部Ａに確実に固着して、その入隅部Ａを補強することができ、これによって、間仕切り壁板１，２に何らかの衝撃がかかっても、その衝撃により間仕切り壁板１，２の表面材層７の入隅部Ａに対向する部分に従来のように皺や亀裂などの損傷部Ｂ（図１２参照）が生じることが殆どなく、その間仕切り壁板１，２の外観上の体裁を長期にわたって良好に維持することができる。しかも、金属補強板の構造が簡単で安価に量産することができる。
【００１９】
【発明の実施の形態】
図１から図６は本発明の第１の実施の形態である間仕切り装置を示すものであって、平坦側間仕切り壁板１及び交叉側間仕切り壁板２を形成する各骨枠５Ａ，５Ｂと各下地材６Ａ，６Ｂとの間の直角交叉部である入隅部Ａに金属補強板９が介装固着されている。上記以外の構成は図１２に示す構成とほぼ同じであるから、同一部分に同一符号を付してその説明を省略する。
【００２０】
前記金属補強板９は、図４及び図５に示すように、平面視略Ｌ字状に折曲された厚さが０．５ｍｍ程度の板状本体９ａからなり、該板状本体９ａには直径が３〜４ｍｍ程度のタッピングビスなどの固着用ビス１０を貫挿するための直径２ｍｍ程度の小孔１１が点々散設状に多数形成され、該板状本体９ａの一面側に粘着層１２が形成され、該粘着層１２には離型紙１３が粘付されている。
【００２１】
間仕切り壁板１，２の形成手順を説明すると、図６（ａ）に示すように、横桟３Ａ，３Ｂ及び縦桟４Ａ，４Ｂにより平坦側骨枠５Ａ及び交叉側骨枠５Ｂを形成した後、該両骨枠５Ａ，５Ｂ間の入隅部Ａを挟んで対向する両縦桟４Ａ，４Ｂの表面に、複数の金属補強板９を粘着層１２により上下方向所定間隔をおいて仮止めし、次に、図６（ｂ）に示すように、平坦側下地材６Ａ及び交叉側下地材６Ｂを互いに突き合わせて各骨枠５Ａ，５Ｂの表面に当接させ、該各下地材６Ａ，６Ｂと各金属補強板９及び各縦桟４Ａ，４Ｂとに固着用ビス１０を貫挿させることにより、各金属補強板９を縦桟４Ａ，４Ｂに固着し、以後は従来通りに多数の固着用ビス１０により各下地材６Ａ，６Ｂを各骨枠５Ａ，５Ｂに固着し（図２及び図３参照）、続いて、その両下地材６Ａ，６Ｂ間にわたって表面材層７を設ければよい（図１参照）。
【００２２】
上記構成によれば、金属補強板９を粘着層１２により入隅部Ａの所定高さ位置に簡単に仮止めすることができ、また、該金属補強板９の板状本体９ａに小孔１１が点々散設状に多数形成されているから、該板状本体９ａと前記骨枠５Ａ，５Ｂとにわたって固着用ビス１０を固着する際に、該板状本体９ａには固着用ビス１０をこれより小径の小孔１１に当てつけてこれをこじ開けるように貫挿させることができ、これによって、該板状本体９ａを比較的容易に破断して、固着用ビス１０による固着作業を迅速に能率良く行うことができる。
【００２３】
更に、金属補強板９により骨枠５Ａ，５Ｂの入隅部Ａが補強されているから、間仕切り壁板１，２に何らかの衝撃がかかっても、その衝撃により間仕切り壁板１，２の表面材層７の入隅部Ａに対向する部分に従来のように皺や亀裂などの損傷部Ｂ（図１２参照）が生じることがなく、その間仕切り壁板１，２の外観上の体裁を長期にわたって良好に維持することができる。
【００２４】
しかも、金属補強板９の板状本体９ａに小孔１１を点々散設状に多数形成すると共に、該板状本体９ａの一面側に粘着層１２を形成し、該粘着層１２に離型紙１３を粘付させるだけでよく、その金属補強板９の構造が簡単で安価に量産することができる。
【００２５】
上記の第１の実施の形態では、板状本体９ａの一面側に仮止め用の粘着層１２を形成したが、これに限定されるわけではなく、図７に示すように、粘着層１２に代えて平坦薄肉状頭部１５ａを有する仮止め用ビス１５を用いて、該仮止め用ビス１５を板状本体９ａ及び縦桟４Ａ，４Ｂに貫挿して、金属補強板９を仮止めするようにしてもよく、この場合、金属補強板９の板状本体９ａに小孔１１が点々散設状に多数形成されているから、該板状本体９ａと前記骨枠５Ａ，５Ｂとにわたって固着用ビス１０を固着する際に、該板状本体９ａには固着用ビス１０をこれより小径の小孔１１に当てつけてこれをこじ開けるように貫挿させることができ、これによって、該板状本体９ａを比較的容易に破断して、仮止め用ビス１５による仮止め作業を迅速に能率良く行うことができる。また、仮止め用ビス１５の頭部１５ａが平坦薄肉状に形成されているので、骨枠５Ａ，５Ｂに固着した下地材６Ａ，６Ｂがその頭部１５ａにより変形されることがない（第２の実施の形態）。
【００２６】
図８から図１１は本発明の第３の実施の形態である間仕切り装置を示すものであって、金属補強板９の略Ｌ字状板状本体９ａの上下側縁に２つの略Ｌ字状スリット１６を形成し、該各スリット１６により切り残した小片を引き起こすことにより、該板状本体９ａに平面視略コ字状の係止片１７が一対突設されている。上記以外の構成は図１から図６に示す第１の実施の形態とほぼ同じであるから、同一部分に同一符号を付してその説明を省略する。
【００２７】
間仕切り壁板１，２の形成手順を説明すると、図１１（ａ）に示すように、横桟３Ａ，３Ｂ及び縦桟４Ａ，４Ｂにより平坦側骨枠５Ａ及び交叉側骨枠５Ｂを形成した後、金属補強板９の係止片１７を弾性変形させて（図１０仮想線参照）、該係止片１７を平坦側下地材６Ａの端縁に嵌合させることにより（図１０実線参照）、複数の金属補強板９を平坦側下地材６Ａの端縁に上下方向所定間隔をおいて係止し、その平坦側下地材６Ａを平坦側骨枠５Ａの表面に当接させることにより、前記各金属補強板９を両骨枠５Ａ，５Ｂの入隅部Ａに仮止めする。次に、図１１（ｂ）に示すように、交叉側下地材６Ｂを交叉側骨枠５Ｂの表面に当接させることにより、その平坦側下地材６Ａと交叉側下地材６Ｂとを互いに突き合わせ、以後は、第１の実施の形態と同様の手順で、固着用ビス１０により各金属補強板９を縦桟４Ａ，４Ｂに固着すると共に、各下地材６Ａ，６Ｂを各骨枠５Ａ，５Ｂに固着し、続いて、その両下地材６Ａ，６Ｂ間にわたって表面材層７を設ければよい（図８参照）。
【００２８】
上記構成によれば、第１の実施の形態と同様の効果を得ることができ、特に、係止片１７を平坦側下地材６Ａ（または交叉側下地材６Ｂ）の端縁に嵌合させた後、その係止片１７を嵌合させた平坦側下地材６Ａ（または交叉側下地材６Ｂ）を平坦側骨枠５Ａ（または交叉側骨枠５Ｂ）に当接させるだけで、金属補強板９を入隅部Ａの所望の高さ位置に簡単に仮止めして、この状態でその後の固着用ビス１０による金属補強板９の両骨枠５Ａ，５Ｂへの固着作業を容易に行うことができる。
【００２９】
しかも、金属補強板９の板状本体９ａに小孔１１を点々散設状に多数形成すると共に、該板状本体９ａに平面視略コ字状の係止片１７を突設するだけでよく、該金属補強板９の構造が簡単で安価に量産することができる。
【００３０】
【発明の効果】
請求項１記載の発明によれば、骨枠、下地材及び表面材層からなる間仕切り壁板の入隅部が平面視略Ｌ字状の板状本体からなる金属補強板により補強されているので、該間仕切り壁板に何らかの衝撃がかかっても、その衝撃により前記表面材層の入隅部に対向する部分に従来のように皺や亀裂などの損傷部が生じることがなく、その間仕切り壁板の外観上の体裁を長期にわたって良好に維持することができる。
【００３１】
請求項２に記載の発明によれば、金属補強板の板状本体に小孔が点々散設状に多数形成されているから、該板状本体を固着用ビスにより比較的容易に破断して、その固着用ビスによる固着作業を能率良く行うことができる。
【００３２】
請求項３に記載の発明によれば、金属補強板の板状本体の一面側に形成した粘着層を平坦側骨枠と交叉側骨枠とにわたって貼着させるだけで、その金属補強板を入隅部の所望の高さ位置に簡単に仮止めすることができるから、この状態でその後の固着用ビスによる金属補強板９の両骨枠への固着作業を容易に行うことができる。
【００３３】
請求項４に記載の発明によれば、金属補強板の板状本体に突設した平面視略コ字状の係止片を平坦側下地材または交叉側下地材のいずれか一方の端縁に嵌合させた後、その係止片を嵌合させた平坦側下地材（または交叉側下地材）を平坦側骨枠（または交叉側骨枠）に当接させるだけで、金属補強板を入隅部の所望の高さ位置に簡単に仮止めすることができるから、この状態でその後の固着用ビスによる金属補強板の両骨枠への固着作業を容易に行うことができる。
【００３４】
請求項５に記載の発明によれば、各下地材、金属補強板及び各骨枠を一体として固着用ビスを貫挿させるだけで、各下地材を各骨枠に固着すると同時に、金属補強板を入隅部の所定高さ位置に固着することができるから、共通の固着用ビスによってこれら三者を強固に固着することができる。
【００３５】
請求項６に記載の発明によれば、金属補強板の板状本体に形成した粘着層から離型紙を剥離した後、該粘着層を平坦側間仕切り壁板と交叉側間仕切り壁板との直角交叉部である入隅部に貼着するだけで、その入隅部の所定高さ位置に金属補強板を簡単に仮止めすることができ、また、前記板状本体に小孔が点々散設状に多数形成されているから、該板状本体と前記骨枠とにわたって固着用ビスを固着する際に、該板状本体には固着用ビスをこれより小径の小孔に当てつけてこれをこじ開けるように貫挿させることができ、該板状本体を固着用ビスにより比較的容易に破断して、その固着用ビスにより金属補強板を入隅部に確実に固着して、その入隅部を補強することができ、これによって、間仕切り壁板に何らかの衝撃がかかっても、その衝撃により間仕切り壁板の表面材層の入隅部に対向する部分に従来のように皺や亀裂などの損傷部が生じることが殆どなく、その間仕切り壁板の外観上の体裁を長期にわたって良好に維持することができる。しかも、金属補強板の構造が簡単で安価に量産することができる。
【００３６】
請求項７に記載の発明によれば、金属補強板の板状本体に突設した平面視略コ字状の係止片を平坦側間仕切り壁板の下地材または交叉側間仕切り壁板の下地材のいずれか一方の端縁に嵌合させた後、その係止片を嵌合させた平坦側下地材（または交叉側下地材）を平坦側間仕切り壁板（または交叉側間仕切り壁板）の所定位置に配置するだけで、金属補強板を入隅部の所望の高さ位置に簡単に仮止めすることができ、また、前記板状本体に小孔が点々散設状に多数形成されているから、該板状本体と前記骨枠とにわたって固着用ビスを固着する際に、該板状本体には固着用ビスをこれより小径の小孔に当てつけてこれをこじ開けるように貫挿させることができ、該板状本体を固着用ビスにより比較的容易に破断して、その固着用ビスにより金属補強板を入隅部に確実に固着して、その入隅部を補強することができ、これによって、間仕切り壁板に何らかの衝撃がかかっても、その衝撃により間仕切り壁板の表面材層の入隅部に対向する部分に従来のように皺や亀裂などの損傷部が生じることが殆どなく、その間仕切り壁板の外観上の体裁を長期にわたって良好に維持することができる。しかも、金属補強板の構造が簡単で安価に量産することができる。
【図面の簡単な説明】
【図１】本発明の第１の実施の形態である間仕切り装置を示す斜視図である。
【図２】同縦断面図である。
【図３】同水平断面図である。
【図４】同金属補強板の斜視図である。
【図５】同金属補強板の分解斜視図である。
【図６】（ａ）及び（ｂ）は間仕切り壁板の形成手順説明図である。
【図７】本発明の第２の実施の形態である間仕切り装置の要部を示す水平断面図である。
【図８】本発明の第３の実施の形態である間仕切り装置を示す斜視図である。
【図９】同水平断面図である。
【図１０】同金属補強板の斜視図である。
【図１１】（ａ）及び（ｂ）は間仕切り壁板の形成手順説明図である。
【図１２】従来例を示す斜視図である。
【符号の説明】
１          平坦側間仕切り壁板
２          交叉側間仕切り壁板
３Ａ，３Ｂ  横桟
４Ａ，４Ｂ  縦桟
５Ａ，５Ｂ  骨枠
６Ａ，６Ｂ  下地材
７          表面材層
９          金属補強板
９ａ        金属補強板の板状本体
１０        固着用ビス
１１        小孔
１２        粘着層
１３        離型紙
１５        仮止め用ビス
１７        係止片
Ａ          入隅部
【図１】
2004257056.tif 000003
【図２】
2004257056.tif 000004
【図３】
2004257056.tif 000005
【図４】
2004257056.tif 000006
【図５】
2004257056.tif 000007
【図６】
2004257056.tif 000008
【図７】
2004257056.tif 000009
【図８】
2004257056.tif 000010
【図９】
2004257056.tif 000011
【図１０】
2004257056.tif 000012
【図１１】
2004257056.tif 000013
【図１２】
2004257056.tif 000014